【事件の表示】
　特願２０１５−２５１０８２「ネット洗浄具」拒絶査定不服審判事件〔平成２９年６月２９日出願公開、特開２０１７−１１３２２７、請求項の数（２）〕について、次のとおり審決する。
【結　論】
　原査定を取り消す。
　本願の発明は、特許すべきものとする。
【理　由】
第１　手続の経緯
　本願は、平成２７年１２月２４日の出願であって、令和元年９月１７日付け（発送日：令和元年９月２４日）で拒絶理由が通知され、令和元年１１月２５日に意見書及び手続補正書が提出されたが、令和２年２月５日付け（発送日：令和２年２月１２日）で拒絶査定（以下「原査定」という。）がされ、これに対して令和２年５月１１日に拒絶査定不服審判の請求がされると同時に手続補正書が提出されたものである。
第２　原査定の概要
　原査定の概要は次のとおりである。
　（進歩性）本願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　記　　（引用文献等については引用文献等一覧参照）
・請求項１及び２に対して　引用文献１及び２
　　　　　　　　＜引用文献等一覧＞
　１.特開２００５−１６０９７９号公報
　２.登録実用新案第３１９７４２８号公報（周知技術を示す文献）
第３　本願発明
　本願の請求項１及び２に係る発明（以下、それぞれ「本願発明１」及び「本願発明２」という。）は、令和２年５月１１日の手続補正により補正がされた特許請求の範囲の請求項１及び２に記載された事項により特定される以下のとおりのものである。
「【請求項１】
　袋状体または筒状体の編布からなるネット洗浄具であって、
　前記編布が、少なくとも１つの開口端から５〜２５ｍｍの範囲に、常温で５０％以上の伸度を持つ弾性糸からなる伸縮性を有する材料を含み、該開口端近傍部が外側にカーリングし、
　前記編布が、長軸方向両端部間の適宜位置に、前記袋状体または筒状体の綴じ部を少なくとも１つ有することを特徴とするネット洗浄具。
　【請求項２】
　前記綴じ部の幅が、前記編布の長軸方向の長さの０．２〜１０％であることを特徴とする請求項１に記載のネット洗浄具。」
第４　引用文献、引用発明等
１　引用文献１
　原査定の拒絶の理由に引用された特開２００５−１６０９７９号公報（以下「引用文献１」という。）には、「口内用クリーナー」に関して、図面とともに次の事項が記載されている（下線は当審が付与した。以下同様。）。
（１）「【実施例１】
【００１６】
　本発明の実施例１について、図１乃至図３に基づき説明すると、
口内用クリーナーは、図１に示すように、指に弾性的に被せる指サック状部１と該指サック状部１の先端部に一体的に設けられた布状体の清掃部２とから成り
図１は、立体的な形状に描かれているが、布状体であるので、指サック状体１の指挿入開口は実際には扁平である
【００１７】
　そして、指に弾性的に被せる手段として、この実施例では、
前記指サック状部１の一部である開口部に、弾性糸による筒状編成部１Ａが設けられ
【００１８】
　更に、前記清掃部２に薬液が塗布又は含浸されている。ここでは、口内殺菌と唾液等の粘液質を綺麗に拭き取ることができるように、アルコール希釈液を含浸させてある。
　そして、最終商品形態としては、このクリーナーは、袋に密閉されて取り扱われ販売される。
【００１９】
　従って、使用に際しては、図２に示す如く、人差し指に指サック状部１を被せ、その開口部の筒状編成部１Ａで弾性的に指を挟持した状態で、図３に示す如く、親指の腹で前記清掃部２の下端側を押圧し、人差し指の根元との間で挟持する。この状態で、人差し指を口内に挿入し、歯、歯茎、口内面壁を摩って、歯茎のマッサージ、或いは余分な唾液等の粘液質を拭い取る。」
（２）「【実施例２】
【００２０】
　
本発明の実施例２について、図４乃至図６に基づいて説明すると、基本的な構成は実施例１と同じである
図４に示す如く、前記指サック状部１の少なくともその一部に弾性糸による筒状編成部１Ａが設けられている点は同じであり、前記清掃部２が前記指サック状部１と連続的に筒状編成されている点が異なる
　従って、実施例２では、前記指サック状部１が指に装着された状態において該清掃部２が、その指サック状部１に裏返しで被せるように構成されているものである。
【００２１】
　図４に示すのは、指に清掃部２を裏返しで被せようとしている状態のクリーナーの斜視図であって、図５は、その装着の工程完了を示す斜視図である。このクリーナーは、普通糸として、２０／１（単糸）の綿糸を用い、横編み機を用いて、一端に指を挿入できるように開口を備えた所定長さのサック状に構成された指サック状１と、前記指サック状１の他端に、伸縮糸として、機能性繊維であるＦＴＹ（ポリウレタンのカバーリング糸）を用い、一端に開口を備えた所定長さのサック状に構成された清掃部２とを、それらの糸の供給を切り替えることで、連続的に編成されている。
　尚、最終工程においては、蒸気による熱収縮の加工を加えるものとする。
【００２２】
　そして、前記
指サック状部１の他端部と、前記清掃部２の他端部とが、図４及び図５にも示す如く、両者のサック状の指挿入空間Ｓ１，Ｓ２を断絶する閉鎖連結部４を介して連結されている
　上記記載事項及び図面（特に、図４ないし６を参照。）の図示内容から、引用文献１には次の発明（以下「引用発明」という。）が記載されている。
〔引用発明〕
　「指サック状部１と清掃部２が連続的に筒状編成された口内用クリーナーであって、
　指サック状部１の開口部に弾性糸による筒状編成部１Ａが設けられ、
　指サック状部１と清掃部２との間に閉鎖連結部４を有する口内用クリーナー。」
２　引用文献２
　原査定の拒絶の理由に引用された登録実用新案第３１９７４２８号公報（以下「引用文献２」という。）には、「清掃具用ニット体及び清掃具」に関して、図面とともに次の事項が記載されている。
（１）「【００１６】
　図１〜３において、清掃具１は、清掃具用ニット体２と、清掃具用ニット体２内に挿入される略直方体形状のスポンジ３とからなる。
清掃具用ニット体２は有底筒状である。すなわち、清掃具用ニット体２は筒状に編成されたニット２ａの一端ａ側を閉止Ｃしてある一方、他端ｂ側はスポンジ３を挿脱するための開口Ｈとしてある
（２）「【００２０】
　さらに、図２に示すように清掃具用ニット体２はスポンジ３の外周を覆うように取り付けられ、スポンジ３に取り付けられた状態（被さる状態）の清掃具用ニット体２においてスポンジ３の一方面３ａよりはみ出した部分（第２繊維５のみの部分）には、
内側に捲れるカーリング部分２Ａが開口Ｈの外周縁に発生する
　上記記載事項及び図面（特に、図２及び３を参照。）の図示内容から、引用文献２には次の事項（以下「引用文献２記載事項」という。）が記載されている。」
〔引用文献２記載事項〕
「有底筒状の清掃具用ニット体２の開口Ｈの外周縁に、内側に捲れるカーリング部分２Ａを発生させること。」
第５　対比・判断
１　本願発明１について
　本願発明１と引用発明とを対比する。
　引用発明における「指サック状部１と清掃部２が連続的に筒状編成された」に関して、指サック状部１と清掃部２は連続的に筒状編成されており、上記第４　１　（１）の記載事項（段落【００１６】）からいずれも布状体であると理解できるから、本願発明１における「筒状体の編布からなる」に相当する。
　引用発明における「口内用クリーナー」と本願発明１における「ネット洗浄具」とは、「清掃具」という限りにおいて一致している。
　引用発明における「指サック状部１の開口に弾性糸による筒状編成部１Ａが設けられ」と本願発明１における「編布が、少なくとも１つの開口端から５〜２５ｍｍの範囲に、常温で５０％以上の伸度を持つ弾性糸からなる伸縮性を有する材料を含み、該開口端近傍部が外側にカーリングし」とは、「編布が、１つの開口端から所定の範囲に弾性糸からなる伸縮性を有する材料を含み」という限りにおいて一致している。
　引用発明における「指サック状部１と清掃部２との間に閉鎖連結部４を有する」に関して、「閉鎖連結部４」は、本願発明１における「筒状体の綴じ部」に相当し、「指サック状部１と清掃部２との間に」は、本願発明１における「編布が、長軸方向両端部間の適宜位置に」に相当する。そうすると、引用発明における「指サック状部１と清掃部２との間に閉鎖連結部４を有する」は、本願発明１における「前記編布が、長軸方向両端部間の適宜位置に、前記筒状体の綴じ部を少なくとも１つ有する」に相当する。
　したがって、両者の一致点、相違点は以下のとおりである。
〔一致点〕
「筒状体の編布からなる清掃具であって、
　前記編布が、１つの開口端から所定の範囲に弾性糸からなる伸縮性を有する材料を含み、
　前記編布が、長軸方向両端部間の適宜位置に、前記筒状体の綴じ部を少なくとも１つ有する清掃具。」
〔相違点１〕
　「清掃具」に関して、本願発明１においては「ネット洗浄具」であるのに対して、引用発明においては「口内用クリーナー」である点。
〔相違点２〕
　「１つの開口端から所定範囲に弾性糸からなる伸縮性を有する材料を含み」に関して、本願発明１においては、少なくとも１つの開口端から「５〜２５ｍｍの範囲」に、「常温で５０％以上の伸度を持つ」弾性糸からなる伸縮性を有する材料を含み、該開口端近傍部が「外側にカーリング」したものであるのに対して、引用発明においては「指サック状部１の開口に弾性糸による筒状編成部１Ａが設けられ」たものであるが、筒状編成部１Ａを設ける範囲、弾性糸の伸度及び開口端近傍部が外側にカーリングしたものかどうかは不明な点。
　事案に鑑み、上記相違点２について検討する。
　引用文献２記載事項は上記のとおり「有底筒状の清掃具用ニット体２の開口Ｈの外周縁に、内側に捲れるカーリング部分２Ａを発生させること。」というものであって、上記相違点２に係る本願発明１の発明特定事項を開示ないし示唆するものではない。
　仮に、引用文献２記載事項から、筒状の編布からなる清掃具の開口端近傍部にカーリングを設けることが周知の技術であるということができるとしても、本願発明１は、上記相違点２に係る発明特定事項により、本願明細書段落【００２６】に記載されているように「該近傍部にカーリング６が自動的に生じる結果、開口部側Ｏを裏返して、編布同士の重ね部を増やした際に、それら編布間に十分な空間を保持し易くなるので、より嵩高い形状が得られ、より一層優れた泡立ち性や洗浄力などを実現できる。加えて、開口端４から手を入れて使用する際に、カーリング６が手首などにフィットしやすくなり、洗浄作業中、常に掴んでいなくとも、手から抜け落ちることが無い。」という、格別な作用効果を奏するものであるから、引用発明において当該周知の技術を参酌して、「少なくとも１つの開口端から５〜２５ｍｍの範囲に、常温で５０％以上の伸度を持つ弾性糸からなる伸縮性を有する材料を含み、該開口端近傍部が外側にカーリング」したものとすることが、当業者が容易になし得たことである、あるいは、適宜なし得た設計的事項であるとまではいうことができない。
　また、他に、上記相違点２に係る本願発明１の発明特定事項を、当業者が容易に想到できたとする根拠も見出せない。
　したがって、上記相違点１について検討するまでもなく、本願発明１は、引用文献１及び２に記載された発明に基いて、当業者が容易に発明をすることができたものということはできない。
２　本願発明２について
　本願発明２は、本願発明１の発明特定事項を全て含み、さらに限定を加えたものであるから、本願発明１について述べたものと同様の理由により、引用文献１及び２に記載された発明に基いて、当業者が容易に発明をすることができたものということはできない。
第６　むすび
　以上のとおり、原査定の理由によっては、本願を拒絶することはできない。
　また、他に本願を拒絶すべき理由を発見しない。
　よって、結論のとおり審決する。